Podtech/llm-jp-corpus-v4-ja_patent huggingface dataset:
(57)【要約】【課題】水洗式小便器内に取り付けることで、小便器の汚れ付着を軽減する器具を提供する事である。【解決手段】小便器内上部ボウル壁面に薬剤を充填した器具ａを取り付け、ａ上部の洗浄水取り込み口１より使用後洗浄水の一部を器具内部５へ導きａの中の洗浄薬剤を溶かし３スプレッダにより再び小便器ボウル内面を伝い落ちることにより洗浄効果を向上させる。また、付着性の薬剤を使うことによってコーティング効果が得られ小便器の事前洗浄が不要となり水資源の消費を押さえることや、薬剤の容易な補充によるランニングコストの低減、不凍性の成分の混入による冬季寒冷地における小便器トラップ部の凍結による破損を防止する効果も期待できる。【選択図】図1
0003101671.tif 000002
【実用新案登録請求の範囲】
【請求項１】
家庭や公共の場で一般に使用されている水洗式小便器（以下小便器）の構造を変更することなく
小便器内の洗浄水吐き出し口真下に装着し使用後洗浄水を流すことによって
小便器内に付着性のある洗浄及び芳香を持つ薬剤の散布を特徴とする器具。
【考案の詳細な説明】
【技術分野】
【０００１】
本考案は水洗式小便器に取り付け洗浄性及び芳香性を実現する洗浄芳香剤散布器に関するものである。
【背景技術】
【０００２】
水洗式小便器は使用後真水で洗い流し公共下水道や浄化装置へ汚物を洗い流し小便器を衛生的に保つ役割を
果たしている。
【０００３】
しかし、本来真水だけでの洗浄では洗浄面の汚れを洗い流すには十分とは言えず、水垢や黄ばみまた尿石の付着などによる
悪臭も発生しその汚れを落とすには時間と労力を必要とする。
水洗式小便器の洗い流しの際、洗浄水を流すバルブの構造や規模の大きい公衆便所の一斉洗浄の装置を改良改造し
洗浄芳香剤を洗浄水と共に小便器内に散布する方法は開発されている。また、自動洗浄方式の水洗式小便器では
用を足す前に器具の前に立った時点で洗浄水を流す構造の物も存在する。
【０００４】
清掃の時間と労力を軽減するに当たり上記構造は既存の設備の改良改造を余儀なくされ相当な投資が必要とされる。
また、事前に洗浄水を流す方法は水資源やエネルギーの節約という観点から必ずしも得策とは思われない。
【０００５】
この改善策として、既存の水洗式小便器に取り付け小便器の汚れ付着や悪臭発生を軽減する方法がある。
図1はこの方法を実現する器具の立面、平面及び断面図である。
【特許文献１】特許公開平１１−２１９７３号
【特許文献２】実用新案公開平６−６３６８５号
【考案の開示】
【考案が解決しようとする課題】
【０００６】
解決しようとする問題点は水洗式小便器の汚れ付着や悪臭発生を軽減する方法に掛かる手段が
相当額且つ大掛かりになる事である。
【課題を解決するための手段】
【０００７】
本考案は、既存の水洗式小便器に簡単に装着し小便器の汚れ付着や悪臭発生を軽減することを特徴とする。
【考案の効果】
【０００８】
本考案の水洗式小便器用洗浄芳香剤散布器は、水洗式小便器洗い流しの際、器具上部から洗浄水の一部を取り込み
器具下部から薬剤が溶け込んだ薬液を散布する事により小便器の汚れ付着や悪臭発生を軽減するという利点がある。
【考案を実施するための最良の形態】
【０００９】
水洗式小便器用洗浄芳香剤散布器の薬剤収納部や洗浄水取り込みフラップ及び薬液散布のスプレッダは変形可能な材質
とすることにより様々な形状の水洗式小便器に適用するものとする。
【実施例】
【００１０】
図1は本考案器具の実施例の図である。
【００１１】
筐体5には水溶性の洗浄芳香剤が充填されており取り込みフラップ1より洗浄水の一部を導入し
筐体5の中の薬剤から溶出した薬液を薬液スプレッダ3より小便器ボウル内へと導くものである。
【００１２】
筐体5は吸盤2により水洗式小便器の洗浄水吐き出し口の真下へ固定するものとする。
フラップ1は水洗式小便器の洗浄水を筐体5に導き入れるため可能な限り小便器内面に密着する材質とする。
【００１３】
筐体5に充填する薬剤は消耗したとき容易に詰め替えが可能な形状とする。
また、薬液スプレッダ3は確実に小便器内面に薬液を伝い流すと同時に小便器ボウル内の洗浄水の流れを妨げない形状とする。
【００１４】
図2の実施例の様に現在使用されている水洗式小便器は大きく分けて2種類に分類される。
筐体5は変形させることにより多様な水洗式小便器に取り付けることを可能とする。
【産業上の利用可能性】
【００１５】
水洗式小便器本体やバルブ装置など改造することなく、事前洗浄のように水資源等を無駄に消費せず
小便器の衛生維持及び清掃の時間短縮による労力の節減等にも貢献する物である。
また、薬剤の成分の調整により冬季寒冷地における小便器トラップ部の凍結による破損を
防止する効果も期待できる。
【図面の簡単な説明】
【００１６】
【図１】水洗式小便器用洗浄芳香剤散布器の説明及び取り付け例の図である。
【図２】水洗式小便器用洗浄芳香剤散布器の実施方法を示した説明図である。
【符号の説明】
【００１７】
1  洗浄水取り込みフラップ
2  固定用吸盤
3  薬液スプレッダ
4  薬剤補充孔
5  筐体、薬剤格納部
【図１】
0003101671.tif 000003
【図２】
0003101671.tif 000004
【手続補正書】
【提出日】平成15年12月18日(2003.12.18)
【手続補正１】
【補正対象書類名】実用新案登録請求の範囲
【補正対象項目名】請求項１
【補正方法】変更
【補正の内容】
【請求項１】
水洗式小便器使用後の洗浄時に、洗浄及び芳香性を持つ薬液を小便器ボウル内に散布するため、
該小便器上部ボウル内面に装着するための吸盤を備えた樹脂製の筒状筐体内部に
水溶性の洗浄及び芳香成分のある薬剤を封入し、筐体上部から洗浄用水の一部を取り込み
筐体内部を通過する際溶出した薬液を筐体下部より、小便器ボウル内に散布及び塗布する事を特徴とする器具。
(57)【要約】【課題】冠後部への纓の付け下げ時において、纓の相対と安定を保ち、祭祀の儀式等における諸々の動作を支障なく行なうこと。【解決手段】装束姿の際、頭部に着用され、後部中央に座止め（４，６）を備えた冠（カン）１と、基端に取付座（３，５）を備え、この取付座（３，５）が冠１側の座止め（３，５）に止め付けられ、冠１の後部に付け下げられる纓（エイ）２とで構成される構造のものにおいて、この纓２を、その基端中心Ｃが冠１の後部中央で付け下げられる構造にしたこと。【選択図】図１
0003101675.tif 000002
【実用新案登録請求の範囲】
【請求項１】
装束姿の際、頭部に着用され、後部中央に座止めを備えた冠（カン）と、基端に取付座を備え、この取付座が冠側の座止めに止め付けられ、冠の後部に付け下げられる纓（エイ）とで構成される構造のものにおいて、この纓は、その基端中心が冠の後部中央で付け下げられることを特徴とする纓の取付構造。
【考案の詳細な説明】
【技術分野】
【０００１】  本考案は、装束姿の際、頭部に着用される冠の後部に付け下げられる纓の取付構造に関するものである。
【背景技術】
【０００２】  祭祀の儀式等で装束姿になった際、頭部に冠１を着用するが、この冠１の後部には、纓と呼ばれるものが付け下げられる。この纓２は、図４に示すように、古来より現在に至るまで、その基端に座串３を備え、この座串３を冠１の後部中央に設けられた筒状の串止め４に差し込むことで付け下げられる。
【考案の開示】
【考案が解決しようとする課題】
【０００３】  ところが、従来の纓２は、その座串３が纓２の基端の左端位置に形成されているため、この座串３を介して纓２を串止め４に付け下げたとき、纓２は、その自重が右側に作用し、よじれた状態で傾き、相対を欠くことになる。したがって、このような状態で祭祀の儀式等を遂行していると、冠１を着装した頭部が、右傾する纓２の影響で右に傾くこともあり、姿も不安定となって見た目に見苦しく、儀式における諸々の動作にも支障を来すことにもなる。【０００４】  本考案は、上記従来の問題点を解消するもので、付け下げ時の纓の相対と安定を保ち、祭祀の儀式等における諸々の動作を支障なく行なうことのできる纓の取付構造を提供することを目的とする。
【課題を解決するための手段】
【０００５】  上記目的を達成する本考案は、装束姿の際、頭部に着用され、後部中央に座止めを備えた冠（カン）と、基端に取付座を備え，この取付座が冠の座止めに止め付けられ、冠の後部から付け下げられる纓（エイ）とで構成される構造のものにおいて、この纓は、その基端中心が冠の後部中央で付け下げられることを特徴とする纓の取付構造である。
【考案を実施するための最良の形態】
【０００６】  図１は、本考案の第１の実施の形態を示す斜視図である。図中、従来例（図４）と共通する部材には同一符号が付されている。この実施の形態では、座串３が、纓２の基端中心Ｃに形成されている。【０００７】  したがって、この座串３を冠１の後部中央に設けられた串止め４に差し込むことで、纓２の基端中心Ｃが冠１の後部中央と一致し、纓２は冠１の真後ろに付け下げられることになる。よって、纓２の相対と安定が図られ、祭祀の儀式等における諸々の動作を支障なく行なうことができる。【０００８】  図２は、本考案の第２の実施の形態を示す斜視図である。この実施の形態では、座串３が、纓２の基端中心Ｃから左右等距離に２本形成されて座串３ａ、３ｂとして構成されており、冠１側の串止め４も、冠１の後部中央で座串３ａ、３ｂの対応位置にそれぞれ串止め４ａ、４ｂとして設けられている。したがって、座串３ａ、３ｂを串止め４ａ、４ｂに差し込めば、纓２の基端中心Ｃが冠１の後部中央と一致することになり、前記第１の実施の形態と同様の効果を得ることができる。【０００９】  図３は、本考案の第３の実施の形態を示す分離斜視図である。この実施の形態では、纓２の基端部分に、横柱状の座柱５が形成されている。この座柱５は、その横断中央線が基端中心Ｃと一致するように形成されている。また、冠１側の後部中央で座柱５との対応位置には、この座柱５を横方向スライド式に受け入れて止める横筒状の座止め６が設けられている。この座止め６には、上部に長さ方向の座逃げスリット７が形成されている。したがって、座柱５を図３に示す矢印方向にスライドさせ、座止め６に差し入れれば、纓２の基端中心Ｃが座止め６の設けられた冠１の後部中央と一致することとなり、前記第１の実施の形態と同様の効果を得ることができる。なお、座止め６側には、座柱５を差し入れたとき、これが座止め６外に抜け出ないよう、ストッパを設けることが好ましい。【００１０】  上記実施の形態は、纓２がいずれも冠１の後部から垂れ下がる垂纓のものを例にして示したが、纓２を捲き付けた捲纓や直纓にも適用することが可能である。
【発明の効果】
【００１１】  以上述べたように、本考案の纓の取付構造は、纓を、その基端中心が冠の後部中央と一致すべく冠に付け下げられるようにしたので、付け下げ時の纓の相対と安定を保ち、祭祀の儀式等における諸々の動作を支障なく行なうことができる。
【図面の簡単な説明】
【００１２】
【図１】本考案による纓の取付構造を示す第１の実施の形態を示す斜視図である。
【図２】本考案の第２の実施の形態を示す図１と同様の斜視図である。
【図３】本考案の第３の実施の形態を示す分離斜視図である。
【図４】従来の纓の取付構造を示す斜視図である。
【符号の説明】
【００１３】１      冠
２      纓
３      座串
４      串止め
５      座柱
６      座止め
【図１】
0003101675.tif 000003
【図２】
0003101675.tif 000004
【図３】
0003101675.tif 000005
【図４】
0003101675.tif 000006
(57)【要約】美容（理容）室において頭髪を水洗いまたは洗浄するために使用され、防水シールが施された照明装置（２）が内面に備えられた洗浄槽（１）。それによって、頭髪上への均一な照明が達成される。【選択図】  図１
0003101677.tif 000002
【実用新案登録請求の範囲】
【請求項１】
頭髪を水洗いまたは洗浄するための洗浄槽（１）であって、
防水シールが施された照明装置（２）を内面に備えているものであることを特徴とする
洗浄槽。
【請求項２】
前記照明装置（２）は、分散配置され、防水シールが施された多数の光照射体（３）からなっていることを特徴とする請求項１に記載の洗浄槽。
【請求項３】
前記光照射体（３）は、少なくとも上側洗浄槽領域（４）に配置されていることを特徴とする請求項２に記載の洗浄槽。
【請求項４】
前記光照射体（３）は、ほぼ前記洗浄槽の全領域（５）にわたって配置されていることを特徴とする請求項２に記載の洗浄槽。
【請求項５】
前記光照射体（３）は、前記洗浄槽（１）の内側壁面（６）に埋め込まれていることを特徴とする請求項１に記載の洗浄槽。
【請求項６】
前記光照射体（３）は、壁面開口（７）に埋め込まれていることを特徴とする請求項５に記載の洗浄槽。
【請求項７】
前記壁面開口（７）は、透明な円板（８）によって、防水シールが施された状態で閉じられていることを特徴とする請求項６に記載の洗浄槽。
【請求項８】
前記円板（８）および前記光照射体（３）は、単一の構成ユニット（９）として形成されていることを特徴とする請求項７に記載の洗浄槽。
【請求項９】
前記光照射体（３）は、前記壁面開口（７）内に防水シールが施された状態で貼り付けられていることを特徴とする請求項５に記載の洗浄槽。
【請求項１０】
前記光照射体（３）は、発光ダイオード（１０）または低電圧ハロゲンランプ（１１）からなっていることを特徴とする請求項２〜請求項９のいずれかに記載の洗浄槽。
【請求項１１】
前記円板（８）の内側に光拡散器（１６）が配置されていることを特徴とする請求項７〜請求項１０のいずれかに記載の洗浄槽。
【請求項１２】
後方洗浄槽（１．１）として形成されていることを特徴とする請求項１に記載の洗浄槽。
【考案の詳細な説明】
【技術分野】
【０００１】
本考案は、美容（理容）室で使用される、頭髪を水洗いまたは洗浄するための洗浄槽に関するものである。
【背景技術】
【０００２】
この種の洗浄槽としては、種々の形態のものが既に使用されている。美容室または理容室においてなされる通常の照明は、洗髪位置にある顧客の頭側に影を生じさせる。後方洗浄槽の場合には、洗髪位置において後頭部に影が生じる。この不十分な照明状態によって、確実な頭髪の水洗いまたは洗浄が困難となり、頭髪からリンスまたは洗髪剤の残りカスがすべて洗い流されたかどうかは保証されない。
【考案の開示】
【考案が解決しようとする課題】
【０００３】
したがって、本考案の課題は、このような従来の欠点を有していない洗浄槽を提供することにある。
【課題を解決するための手段】
【０００４】
この課題を解決するため、本考案は、洗浄槽は、内面に照明装置を備える。照明装置は、独立した光照射体からなり、これらの光照射体は、洗浄槽の内側空間が一様に照明されるように形成され、かつ配置される。本考案のより好ましい実施例が、引用形式請求項に規定されている。
【考案を実施するための最良の形態】
【０００５】
以下、本考案の実施例がより詳細に説明される。
図１は、美容（理容）室で用いられる頭髪を水洗いまたは洗浄するための洗浄槽１を示したものである。洗浄槽１は、内面に照明装置２を備えている。照明装置２は、分散配置された多数の光照射体３からなっており、これらの光照射体３は、少なくとも上側洗浄槽領域４に配置される。より好ましい照明状態をもたらすために、光照射体３は、ほぼ洗浄槽の全領域にわたって配置され、それによって、頭髪のまわりを取り巻く完全な照明が実現される。光照射体３は、洗浄槽１の内壁面６において壁面開口７内に埋め込まれている。壁面開口７は、透明な円板８によって、防水シールが施された状態で閉じられている。円板８および光照射体３は、単一の構成ユニット９として形成され、光照射体３は、壁面開口７内に防水シールが施された状態で貼り付けられている。光照射体３は、好ましくは、強い白色光を照射しかつ広い照射角を有する発光ダイオード１０、または広い照射角を有する低電圧ハロゲンランプ１１を備えており、低電圧ハロゲンランプ１１は、交換可能に形成されている。好ましくは、洗浄槽１は、後方洗浄槽１．１として形成され、首受入れ洗浄槽領域１２、給水ジョイント１３、ハンドシャワー１４（図２参照）、および排水管１５を有している。図２には、より詳細な構成が示されている。
【０００６】
図３は、壁面開口７内に貼り付けられた（貼付部１７）構成ユニット９の部分拡大図であり、この図において、透明な円板８と、低電圧ハロゲンランプ１１を備えた光照射体３が一体形成されている。光照射体３は、内側に鏡（反射器）１８を有している。光照射角をより大きくするために、好ましくは、円板８の内側に、好ましくは拡散型フレネルレンズの形態の光学的な光拡散装置１６が配置される。この光拡散装置は、好ましくは、円板８の内側面上に平に刻印される。これはまた、発光ダイオード１０についても同様である。
【０００７】
図４は、図３の実施例の変形例を示したものである。この例では、壁面開口７内に貼り付けられた（貼付部１７）発光ダイオード１０は、洗浄槽の内側空間にできるだけ均一に照明がなされるようにするべく広い光照射角を有している。この変形例は、発光ダイオード１０の寿命が非常に長く、交換を必要としないという理由から、とりわけ好ましいものである。
【図面の簡単な説明】
【０００８】
【図１】内側に照明装置を備えた洗浄槽の側断面図である。
【図２】図１の洗浄槽の平面図である。
【図３】図１の領域Ｘの詳細図であり、壁面開口内に貼り付けられたランプユニットを示した図である。
【図４】洗浄槽壁面開口内に発光ダイオードが貼り付けられた、図３の変形例を示した図である。
【符号の説明】
【０００９】
１  洗浄槽
１．１  後方洗浄槽
２  照明装置
３  光照射体
４  上側洗浄槽領域
５  全洗浄槽領域
６  内側壁面
７  壁面開口
８  透明な円板
９  構成ユニット
１０  発光ダイオード
１１  ハロゲンランプ
１２  首収容洗浄槽領域
１３  給水ジョイント
１４  ハンドシャワー
１５  排水管
１６  光拡散器
１７  貼付部
【図１】
0003101677.tif 000003
【図２】
0003101677.tif 000004
【図３】
0003101677.tif 000005
【図４】
0003101677.tif 000006
(57)【要約】      （修正有）【課題】鼻炎の症状を和らげ、顔にフィットしてはずれにくいマスクを提供する。【解決手段】カーゼマスクの鼻が当たる部分に冷却ジェルシートを両面テープで固定することで、就寝中もマスクがずれにくくなります。花粉や埃を遮断しつつ、赤く熱を帯びた鼻を冷やすことができれば、不快な鼻炎の症状も和らげることができ、顔の真ん中を冷やすことで、気分よく過ごすことが可能です。【選択図】図１
0003101673.tif 000002
【実用新案登録請求の範囲】
【請求項１】
ガーゼマスクの鼻が当たる部分に冷却ジェルシートを両面テープで貼り付けることでマスクがずれにくくなる上、鼻炎の不快な症状を少しでも和らげ、さらに顔の中心を冷やすことで鼻炎特有の頭がぼーっとする時に、爽快な気分で過ごすことができる冷却ジェルシート付きマスク。
【考案の詳細な説明】
【技術分野】
【００１】この考案は本来の花粉や埃から鼻と口を保護するマスクに冷却ジェルシートを組み合わせることで、熱を帯びた鼻を冷やすし鼻炎の症状を和らげることと、顔の真ん中を冷やすことで鼻炎特有の頭がぼーっとしている時に爽快な気分で過ごすことができるうえ、顔にフィットするのでマスクがずれにくくするためのものです。
【背景技術】
【００２】従来は空気中のウィルス、花粉、埃等から鼻と口を保護するだけのマスクでした。
【考案の開示】
【考案が解決しようとする課題】
【００３】花粉症などの鼻炎を起こしている人は、鼻に熱を帯び、水のような鼻水やクシャミが絶えず出て、たとえマスクをしていてもしきりに鼻をかんでいる上、頭がぼーっとしている状態です。就寝中もマスクが手放せませんが寝返りで簡単に外れてしまいます。
【課題を解決するための手段】
【００４】ガーゼマスクの鼻が当たる部分に冷却ジェルシートを両面テープで固定することで、就寝中もマスクがずれにくくなります。花粉や埃を遮断しつつ、赤く熱を帯びた鼻を冷やすことができれば、不快な鼻炎の症状も和らげることができ、顔の真ん中を冷やすことで、気分よく過ごすことが可能です。
【考案の効果】
【００５】花粉症などの鼻炎患者の人に、熱を帯びている鼻を冷却ジェルシートで冷やし、クシャミ、鼻水をおさえ、就寝中もマスクがずれにくく、顔を冷やすことで気持ち良くマスクを利用してもらうための考案です。
【考案を実施するための最良の形態】
【００６】カーゼマスク（１）の鼻が当たる部分に冷却ジェルシート（３）を両面テープ（２）で固定します。
【図面の簡単な説明】
【００７】
【図１】正面図
【図２】斜め上から見た図
【図３】実際に人が使用した場合の立体的図面
【符号の説明】
【００８】１：ガーゼマスク      ２：両面テープ
３：冷却ジェルシート
【図１】
0003101673.tif 000003
【図２】
0003101673.tif 000004
【図３】
0003101673.tif 000005
(57)【要約】【課題】  本考案は真珠と貴石・半貴石製のラリアットにおいて、磨耗による糸の切断を軽減させ、使用性能を高めることにある。【解決手段】  本考案は真珠と貴石・半貴石製のラリアットの結び目部分に貴金属のチェーンを取り付けることにより、磨耗による糸の切断を軽減し、３パターンで使用可能な着用性を高めた。【選択図】  図１
0003101672.tif 000002
【実用新案登録請求の範囲】
【請求項１】
真珠と貴石・半貴石製のラリアットにおいて結び目部分に貴金属のチェーンを取り付ける事により、磨耗による糸の切断を軽減するということを特徴とする真珠及び貴石製ラリアット
【考案の詳細な説明】
【技術分野】
【０００１】  本考案は真珠及び貴石・半貴石製ラリアットにおいて、結び目部分に貴金属製のチェーンを取り付けることにより、磨耗による糸の切断を軽減し、さらに３つのパターンで使用可能な着用性を高めるものである。
【背景技術】
【０００２】  真珠と貴石・半貴石を同時にラリアットを従来の方法で糸組すると、ラリアット自体の重量のためなどによりにすぐに糸が伸び、また貴石・半貴石の糸穴部分のカットが鋭利なためすぐに糸切れしていた。このため  真珠のみのラリアットしか製作できず、その上、しっかりと結べないため脱落の危険も多かった。貴石・半貴石の入る場合、ワイヤーという金属を使うためにしなやかさに欠けるものがあり、美観も悪く事実上無理があった。
【考案の解決しようとする課題】
【０００３】  真珠と貴石・半貴石を使用したラリアットにおいても、糸の切断の危険性を少なくし、ファッション性並びに着用性を向上させる。
【課題を解決するための手段】
【０００４】  結び目に当たる部分に貴金属のチェーンを使用する。
【考案の効果】
【０００５】  以前貴金属のチェーンを使用せずに真珠と半貴石のラリアットを製作し使用したが、１ヶ月に１度ぐらいの割合で糸切れした。結び目に貴金属のチェーンを使用して製作を開始してから、３年ほど使用しているが、糸切れはしていない。
また、３年ほど前から販売しているが、購入していただいた消費者からも同様に糸切れの報告はない。
貴金属のチェーン部分を結び目として使用し、そのチェーン部分で２度掛けする簡単な着用方法で脱落の危険が少なくなった。
【考案を実施するための最良の形態】
【０００６】  ラリアットの先端から約１０ｃｍの部分に長さ約２．５ｃｍの貴金属のチェーンを組みこむ。
【実施例】
【０００７】  以下、添付図に従って一実施例を説明する。図面は真珠・半貴石によって一本組されたラリアットである。１は真珠、２は貴石・半貴石、３は貴金属チェーンである。
【産業上の利用可能性】
【０００８】  全てを貴金属・真珠・貴石・半貴石で製作して、ボリュームもあり、一本のラリアットで３パターンの使い方ができるので  消費者にとって買い得感がある。
【図面の簡単な説明】
【０００９】
【図１】ラリアットの全体図
【図２】貴金属チェーン部分の拡大図
【図３】貴金属チェーンの結び目部分を前で使用した図
【図４】貴金属チェーンノ結び目部分を後ろで使用した図
【図５】ラリアットを首に二重二巻きつけて使用した図
【符号の説明】
【００１０】  １  真珠
２  貴石・半着石
３  貴金属のチェーン
【図１】
0003101672.tif 000003
【図２】
0003101672.tif 000004
【図３】
0003101672.tif 000005
【図４】
0003101672.tif 000006
【図５】
0003101672.tif 000007
(57)【要約】      （修正有）【課題】ヤキグリを表面黒コゲにすることなく簡単に皮をむき、しかも甘みを保つことを得る加工装置を提供する。【解決手段】凸起リブ付構造及び直射熱利用で表面黒くこげつかないことを確実にすることにある。【選択図】図２
0003101679.tif 000002
【実用新案登録請求の範囲】
【請求項１】
一体構造を有する円筒回転体ドラム（１）が、駆動ギヤ（８）を介してゆっくり回転をしながら、外部よりのガス加熱で直射熱利用により一定量の中の硬い栗の殻を焼く装置。
【請求項２】
ドラム（１）の中で処理させる硬い栗がムラなく転がりながら回転が与えられるよう放射状に３ヶ所取り付け、なお先端を１５度傾斜させた凸起リブ（２）を設けた装置。
【考案の詳細な説明】
【０００１】
【考案の属する技術分野】
本考案は食品関連で栗を焼いたり、又煮たりした後の硬い殻を取り除き、実を取り出せることの困難さがあり、この事を容易にする機械に関するものである。
【０００２】
【従来の技術】
従来、この種の装置は以前から米類を加熱して製造するポン菓子機に見られるように一重構造を有している。この様な方法で栗を焼く機械は単純な一重構造で回転を与えながら直接ガス火に接して焼く機構である。
【０００３】
【考案が解決しようとする課題】
従来の構造ではポン菓子は別として一重構造では直接火に接したドラムで焼くことになり、中までふっくらと焼けず、且つ黒く焼けたようになり、栗の実が均一化されないと云う問題点がある。
【０００４】
黒くこげつくことは同じ状態で何回も焼くことで、内部に炭化物固形が残留することとなり、焼きむらが多くなる傾向の問題が残る。
【０００５】
【課題を解決するための手段】
従来の方法を改めて、本考案に於ける装置は、一体構造で内部に取り付けた凸起リブにあって、円周上に配列させたリブと回転とにより、直射熱を介して栗をムラなく、栗自体に水分がある状態で熱せられるので、皮が柔らかくなり、皮がむけ易く、実が簡単に取り出せるようにするものである。
【０００６】
そして栗をムラなく焼くため、少量を夫々の凸起リブにのせて回転を与えながら外部の熱気がより効果的にむらなく栗を焼くことにある。
【０００７】
【考案の実施の形態】
図２に於いてドラム（１）は金属円筒のものを用い、厚みは３．２〜４．５ｍｍ程度のものが望ましい。３．２ｍｍ以下では熱のため変形し易くなり、又４．５ｍｍ以上では伝熱の関係でかなりの時間を要すると云う不具合が生じる。目的に合致するものは４ｍｍ前後即ち±２０％以内が良好な結果をもたらす。ドラム（１）は両側にて回転ベアリング（６）及び（７）により保持される。
【０００８】
図２のドラム（１）は内部に３本の放射の凸起リブを有し、リブは空気のかくはん即ち対流の助けとなる。
【０００９】
一体化された円筒回転体は前面回転ベアリング（６）及び後面回転ベアリング（７）により保持され、外部よりの加熱を受けながら回転し、栗の焼き作業を行う。
【００１０】
【考案の効果】
本考案は、上記の通り構成されているので、次に記載する効果が期待される。
【００１１】
図２に示されるように凸起リブが回転によりムラなく表面を直射熱と蒸気の対流とにより効果的に焼くことができる。
【００１２】
図２に示されるように回転体に取り付けられた圧力計（５）により、出来上がり具合がわかり、加圧下に処理され、水蒸気の発生で表面が柔らかくなり、このことにより期待される栗を焼き上げることが可能になる。
【００１３】
圧力調整により、１〜２回のテストで焼き具合の程度が判明し、満足のいく焼き栗がみられることになる。
【図面の簡単な説明】
【図１】回転ドラムの平面図
【図２】回転ドラムの断面図
【図３】回転ドラムの後面図
【図４】回転ドラムの前面図
【図５】回転ドラムの後部の保持部
【図６】回転ドラムの前面より見た中央断面図
【符号の説明】
１  ドラム
２  凸起リブ
３  排出バルブ
４  安全装置
５  圧力計
６  前部回転ベアリング
７  後部回転ベアリング
８  駆動ギヤ
【図１】
0003101679.tif 000003
【図２】
0003101679.tif 000004
【図３】
0003101679.tif 000005
【図４】
0003101679.tif 000006
【図５】
0003101679.tif 000007
【図６】
0003101679.tif 000008
【手続補正書】
【提出日】平成15年7月7日(2003.7.7)
【手続補正１】
【補正対象書類名】明細書
【補正対象項目名】請求項２
【補正方法】変更
【補正の内容】
【請求項２】
一体構造を有する円筒回転体ドラ厶（１）の中で処理させる硬い栗がムラなく転がりながら回転が与えられるように、ドラム内壁に凸起リブ（２）を放射状に３ヶ所設け、尚、先端を（図６）のように１５°傾斜させた装置。
【手続補正書】
【提出日】平成15年10月21日(2003.10.21)
【手続補正１】
【補正対象書類名】明細書
【補正対象項目名】請求項２
【補正方法】変更
【補正の内容】
【請求項２】
一体構造を有する円筒回転体ドラム（１）の中で処理させる硬い栗がムラなく転がりながら回転が与えられるように、ドラム内壁に凸起リブ（２）を放射状に３ヶ所設け、尚、凸起リブ先端を途中部分において１５°傾斜させた装置。
(57)【要約】【課題】簡単な構造組立によって回収したペットボトルを再利用して環境保護に役立てるだけでなく、ビン体の丸みによって、長時間掛けても衣類の外形が変形しないペットボトルのハンガー構造を提供する。【解決手段】ペットボトルのハンガー構造は、主に鉤体３１を具えた縦型の吊桿３０の下端に結合台４０を枢設し、結合台両側それぞれが突出し、且つ内ネジ溝を具えたビン口ネジ止め台４３を設置する。そこに回収したペットボトル５０を組み合わせる。【選択図】図１
0003101634.tif 000002
【実用新案登録請求の範囲】
【請求項１】
ペットボトルを利用したハンガーであって、鉤体を具えた縦型の吊桿の下端に結合台を枢設し、結合台両側それぞれが突出すると共に内ネジ溝を具えたビン口ネジ止め台を設置し、該内ネジ溝に回収したペットボトルを結合して構成されることを特徴とするペットボトルのハンガー構造。
【請求項２】
前記吊桿頚部には、上端が鉤体で下段が押圧ハンドルである挟持鉤が連接され、その枢設部はバネで挟持鉤が開き、鉤体と対応して封鎖された挟持部を形成し、また挟持鉤下段の押圧ハンドルを押すと開き、弾性によって挟んで保持力を発揮することを特徴とする請求項１記載のペットボトルのハンガー構造。
【請求項３】
前記結合台は、そのビン口ネジ止め台に大きさの異なる回収ペットボトルを設置することによって、大きさの異なるハンガーを形成することを特徴とする請求項１もしくは２記載のペットボトルのハンガー構造。
【考案の詳細な説明】
【技術分野】
【０００１】
本考案は、ペットボトルのハンガー構造に関するもので、簡単な構造組立で、回収したペットボトルを再利用して環境保護に役立てるだけでなく、ビン体の丸みによって、長時間掛けても衣類の外形が変形しないものである。
【背景技術】
【０００２】
今やペットボトルの大量使用によって、回収業者の負担は増えるばかりで、ペットボトルによる環境汚染も進んでいる。
【考案の開示】
【考案が解決しようとする課題】
【０００３】
解決しようとする課題は、回収したペットボトルを利用し、再利用の方向を探り、環境保護に役立てることである。
【課題を解決するための手段】
【０００４】
本考案は、主に鉤体を具えた縦型の吊桿の下端に結合台を枢設し、結合台両側それぞれが突出し、且つ内ネジ溝を具えたビン口ネジ止め台を設置する。そこに回収したペットボトルを組み合わせて構成することを最も主要な特徴とする。
【考案の効果】
【０００５】
本考案のペットボトルのハンガー構造は、ペットボトルを再利用する環境保護効果の他に、ペットボトルの丸みある形状が衣類両肩部の支え、衣類の外形を保持し、長時間掛けても変形しないという利点がある。
【考案を実施するための最良の形態】
【０００６】
図１に示すのは、本考案の立体分解指示図で、主に縦方向の吊桿３０、結合台４０及び二本の回収したペットボトル５０から構成される。そのうち、
【０００７】
吊桿３０は、主に上端に鉤体３１を具えた桿体で、吊桿３０上端である鉤体３１頚部には、下段が押圧ハンドル３２１である挟持鉤３２と連接する。また、枢設部はバネによって挟持鉤３２が開き、鉤体３１に対応して封鎖された挟持部を形成する。また、吊桿３０下段には最下端部がリベット釘型頭部３４１に成形された球頭形桿３４が設けられる。
【０００８】
結合台４０は、上面壁に枢設孔４１が穿設され、その内部には数枚の逆止掛合片４２が環状に設置される。結合台４０は両側にそれぞれ突出し、内ネジ溝を具えたビン口受台４３が設置される。
【０００９】
回収したペットボトル５０は、掛ける服の大きさによって、ペットボトルの大きさを選択する。
【００１０】
上述で説明した吊桿３０は、下段の球頭形桿３４と結合台４０上部壁の枢設孔４１によって差込結合される。球頭形桿３４下端部のリベット釘形頭部３４１は、枢設孔４１内の逆止掛合片４２が受けて結合される。回収したペットボトル５０のビン口のネジ溝を結合台４０両側壁にあるビン口ネジ止め台４３で止めると、図２に示す立体組立構造になる。また挟持鉤３２の押圧ハンドル３２１を押し、挟持鉤３２と鉤体３１を開き、弾力によって横桿に挟むと、図３に示すようになる。また、ペットボトルは、図２の実線及び点線に示すとおり、大きさの異なるペットボトル５０を結合台４０両側のビン口ネジ止め台４３上で止めることによって、大きさの異なるハンガー構造となる。
【００１１】
図３，４に示すのは、本考案に衣類を掛けた実施例の立体及び平面図で、そのうち、回収したペットボトル５０に衣類２０の両肩部２１が掛けられた時、ペットボトル５０の丸みあるビン体が衣類２０の両肩部２１の幅と形状に沿って伸びるため、衣類２０を長時間掛けても服全体の外形を維持して、崩れることがなく、また、使用しない時にはペットボトルを外してしまえば、衣類ダンスの場所を取ることがない。
【００１２】
上述の結合台４０は、吊桿３０下端に一体成型で固定してもよい。また、吊桿３０上端の鉤体３１は、一般の掛け鉤構造で成形してもよく、もしくは一般の挟持体を成形してもよい。
【図面の簡単な説明】
【００１３】
【図１】本考案の立体分解図である。
【図２】本考案の立体組立図である。
【図３】本考案の実施例立体図である。
【図４】本考案実施例の側面図である。
【符号の説明】
【００１４】
２０        衣類
２１        肩部
３０        吊桿
３１        鉤体
３２        挟持鉤
３２１        押圧ハンドル
３３        バネ
３４        球頭形桿
３４１        リベット釘型頭部
４０        結合台
４１        枢設孔
４２        逆止め掛合片
４３        ビン口ネジ止め台
５０        ペットボトル
【図１】
0003101634.tif 000003
【図２】
0003101634.tif 000004
【図３】
0003101634.tif 000005
【図４】
0003101634.tif 000006
(57)【要約】      （修正有）【課題】建築現場で異形鉄筋を施工する際、鉄筋工が異形鉄筋の直径寸法を記載した伝票の見忘れ等確認にミスがあっても、そのまま施工できるようにする。【解決手段】表面にリブ、フシの突起部を有する異形鉄筋において、リブ、フシに囲まれた異形鉄筋の表面に異形鉄筋の直径寸法の数字を表記して成り、また異形鉄筋1の表面にリブ２とフシ３を設け、リブ２とフシ３とに囲まれた表面に異形鉄筋１の直径寸法の数字４を表記している。【選択図】図１
0003101640.tif 000002
【実用新案登録請求の範囲】
【請求項１】
表面にリブ、フシの突起部を有する異形鉄筋において、リブ、フシに囲まれた異形鉄筋の表面に異形鉄筋の直径寸法の数字を表記して成ることを特徴とする寸法付異形鉄筋。
【請求項２】
リブ、フシに囲まれた異形鉄筋の表面に異形鉄筋の直径寸法の数字を軸方向に凸面に表記して成る請求項１記載の寸法付異形鉄筋。
【考案の詳細な説明】
【技術分野】
【０００１】
本考案は、異形鉄筋の直径が明確に確認できる異形鉄筋である。
【背景技術】
【０００２】
異形鉄筋は工場で大量に生産されるが、直径の異なる各種の異形鉄筋は、直径の寸法を記載した伝票を付けて輸送される。そして、異形鉄筋を扱う建築現場では、鉄筋工が直径の寸法を記載した伝票を見ながら、直径の異なる各種の異形鉄筋を設計図面通りに間違えることなく施工している。
【０００３】
ところが、建築現場では多忙で煩雑な作業が多いので、鉄筋工は伝票確認を確実に行わないため、直径の寸法を間違えることがある。その結果、間違えた直径の異形鉄筋を使用したことになり、家屋の場合は、柱やはりの強度が弱くなり、さらには家屋の強度も弱くなり、設計図面通りの強度を保証できないことになる。
【０００４】
そこで、前述のような鉄筋工のミスがある場合もあるので、建築物完成後に建築物の検査を行う場合には、異形鉄筋の直径を確認するために異形鉄筋に固着したコンクリートを破壊しなければならず、大変な労力と経費が掛かることになる。
【考案の開示】
【考案が解決しようとする課題】
【０００５】
解決しようとする問題点は、建築現場で異形鉄筋を施工する際、鉄筋工が異形鉄筋の直径寸法を記載した伝票の見忘れ等確認にミスがあっても、そのまま施工される点である。
【課題を解決するための手段】
【０００６】
本考案は、表面にリブ、フシの突起部を有する異形鉄筋において、リブ、フシに囲まれた異形鉄筋の表面に異形鉄筋の直径寸法の数字を表記することを最も主要な特徴とする。  
【０００７】
本考案を製造するには、リブ、フシの突起部を有する異形鉄筋を製造する鋳型に、リブ、フシに囲まれた異形鉄筋の表面に異形鉄筋の直径寸法の数字を表記できるように鋳型に刻印を形成すればよい
【考案の効果】
【０００８】
本考案の寸法付異形鉄筋は、異形鉄筋の表面に異形鉄筋の直径寸法を表記しているので、建築現場で鉄筋工が伝票を見ることなく、異形鉄筋に表記された寸法を見ることによって、各種の異形鉄筋を間違えることなく施工できるという利点がある。その結果、異形鉄筋の施工の信頼性が高くなる。
また、異形鉄筋の直径寸法の表記が異形鉄筋の製造段階で製造と同時にできるので、ほとんど費用がかからない。
【考案を実施するための最良の形態】
【０００９】
異形鉄筋の表面に、リブ、フシに囲まれた異形鉄筋の表面に異形鉄筋の直径寸法の数字を表記するという目的を、異形鉄筋の鋳型に組み込むことによって異形鉄筋の製造と同時に表記できることを実現した。
【実施例１】
【００１０】
図1は、本考案である寸法付異形鉄筋の一実施例の斜視図であって、異形鉄筋1の表面にリブ２とフシ３を設け、リブ２とフシ３とに囲まれた表面に異形鉄筋１の直径寸法の数字４を表記している。そして、図２に示すように、異形鉄筋１の表面に直径寸法の数字４を軸方向に凸面に表記している。  
【実施例２】
【００１１】
本考案の別の実施例として、異形鉄筋のリブとフシに囲まれた表面に異形鉄筋の直径寸法の数字を直径方向に凹面に表記してもよい。
【産業上の利用可能性】
【００１２】
異形鉄筋を使用する建築現場において、異形鉄筋の直径寸法を容易に確認することができる。
【図面の簡単な説明】
【００１３】
【図１】寸法付異形鉄筋を示した斜視図である。
【図２】寸法付異形鉄筋を示した正面図である。
【符号の説明】
【００１４】
１  異形鉄筋
２  リブ
３  フシ
４  直径寸法の数字
【図１】
0003101640.tif 000003
【図２】
0003101640.tif 000004
(57)【要約】【課題】内蔵したガスタンクからのガスに放電着火した炎を噴出するようにした装置の着火向上を図った点火装置を提供する。【解決手段】本体部２と金属筒体３とで構成された点火器１の本体部内には、高圧ガスを貯蔵するガスタンクと、放電電圧を給電する圧電ユニットと、ガスの送給を開閉しかつ圧電ユニットを作動させるスライド部が配設され、金属筒体３には、前記ガスタンクからのガスを噴出する噴出ノズルと放電電極とが内蔵されている。この金属筒体３に有底筒状の筒部材８が着脱自在に嵌入されるとともに、筒部材８の端部に保持部材９が設けてある。着火装置が未使用なときは、金属筒体３に筒部材８が被せてあるので、金属筒体３の開口部分から塵埃などが侵入することがなくなり、保持部材９によって持ち運びや壁に吊る下げて保管する際の利便性が向上する。【選択図】図１
0003101637.tif 000002
【実用新案登録請求の範囲】
【請求項１】
ガスタンクと、当該ガスタンクからのガスの供給を開閉するバルブ機構と、当該バルブ機構に一端が接続し他端にガスを噴出する噴出ノズルを有するガスパイプとを包含した金属筒体と、上記噴出ノズルと該噴出ノズルの近傍に配設した放電電極との間に放電電圧を印加する圧電ユニットとを備え、噴出ガスに放電点火を行うようにした着火装置において、  前記金属筒体に有底円筒状の筒体を着脱自在に嵌入可能にさせたことを特徴とする点火装置。
【請求項２】
筒体の端部に係止部材を設けた請求項１記載の点火装置。
【考案の詳細な説明】
【技術分野】
【０００１】
本考案は、内蔵したガスタンクから噴出したガスに、確実に着火できるような保護装置を設けた点火装置の着火不良防止に関する。
【背景技術】
【０００２】
着火器や卓上ガスライターなどのような点火装置に於いては、ガスの噴出を開閉するバルブ機構を経て棒状に突出した金属筒体先端部から炎をふんしゅつさせるものであるが、先端の噴出ノズルにガスを供給するガスパイプ及び放電用電力を供給する電線が、本体部分から延びて先端のノズル及び放電用電極部分に接続されている。（例えば、特許文献１参照）
【特許文献１】実公平５−４７９５１号公報
【考案の開示】
【考案が解決しようとする課題】
【０００３】
上記のようなガスパイプ及び電線の接続構造を備え、棒状に延長した金属筒体の先端に於ける炎口部分は、開口が穿設されたままの状態であり、保管中や持ち運ぶ際に炎口、特に放電電極と噴出ノズルとの間に塵埃や砂粒が入り込むと、放電不可能になって着火不良を生ずる虞がある。
【０００４】
すなわち、圧電ユニットによる放電点火するものに於いては、噴出ノズルに放電電圧を導く電線と、アース側となる金属筒体の間に浮遊容量が生じ、圧電ユニットで発生した高圧電圧は交流電圧となるため、上記浮遊容量を通じてアース側にリークが起き、着火性の低下を招く問題を有する。
【０００５】
そこで本考案は上記事情に鑑み、先端部の噴出ノズルに塵埃や砂粒が入らないようにして着火性を向上すると共に、点火装置の持ち運びの利便性を向上させるようにした点火装置を提供することを目的とする。
【課題を解決するための手段】
【０００６】
上記目的を達成するために、燃料ガスを内部に貯蔵するタンク本体と、前記タンク本体からのガスの供給を開閉するバルブ機構と、前記バルブ機構に一端が接続し他端にガスを噴出する噴出ノズルを有するガスパイプを包含した金属筒体と、前記噴出ノズルと該噴出ノズルの近傍に配設した放電電極との間に、放電電圧を印加する圧電ユニットとを備え、噴出ガスに放電点火を行うようにした点火装置において、前記金属筒体に有底円筒状の筒部材を着脱自在に嵌入可能にさせたものである。
【０００７】
また、筒部材の少なくとも端部に保持部材を設けるようにした。
【考案の効果】
【０００８】
以上のような本考案の点火装置では、未使用状態では炎口を有する金属筒体に、着脱自在とした別途構成の有底円筒状の筒部材を嵌入させているのであるから、保管中や移動中に炎口から塵埃や砂粒が入って放電電極やノズル口を塞ぐようなことが無くなり、着火不良の防止を図ることが出来る。そして、使用時には前記筒部材を外して金属筒体先端に塵埃がない状態で着火させるのであるから、確実に着火可能となる。
【０００９】
また、筒部材には保持部材である紐が取り付けてあるので、持ち運びや保管の利便性が向上する。なお、持ち運びの際に誤って着火操作をしてしまったとしても、金属筒体に筒部材が嵌入してあるので、金属筒体内は酸素不足によって着火する事はない。
【考案を実施するための最良の形態】
【００１０】
点火器１は、合成樹脂製の本体部２と該本体部２から棒状に延びた金属筒体３とで構成される。さらに本体部２は、合成樹脂製のタンク本体４とその前方の合成樹脂製中間ケース５とで形成されている。
【００１１】
タンク本体４は前方が解放した筒状に形成され、この内部にはブタンガス等から成る燃料の高圧ガスを貯蔵したガスタンクが設置されている。ガスタンクの出口に火口へガスの供給を開閉する公知のバルブ機構が配置されている。
【００１２】
中間ケース５は上部と下部に二分割され、ネジや溶着手段によって固定される。上部には着火レバー６用の窓部が開口されている。そして、前記中間ケース５の窓部には上下方向に回動自在にスライドする着火レバー６が配設され、該着火レバー６の後部に図示しない圧電ユニットが配置されている。この圧電ユニットは金属筒体３の火口に設けた放電電極に放電電圧を給電するものであって、着火レバー６の後退操作に伴って、圧電ユニット内部で放電電圧を発生する。
【００１３】
前記金属筒体３は、棒状をした筒状の金属から成り、その内部に図示しないバルブ機構に一端が接続し他端の先端にガスを噴出する噴出ノズルがされている。この金属筒体３の先端は解放し、先端面中心に炎が噴出する火口７が開口し、その後部側方に複数のエア導入口が開口している。さらに、火口７近傍に筒体３の一部が中心側に折り曲げ形成された放電電極が設けられている。これ等金属筒体３に開口したエア導入口からのエアは、筒内部の空間に流入する。
【００１４】
また、金属筒体３外周にはプラスチックや金属から成る筒部材８が着脱自在な状態で嵌入されている。この筒部材８は、一方が解放し他方が塞がった円筒状を成し、前記金属筒体３の外径よりも若干大きく、かつ長さも金属筒体より若干長くなっている。そして簡単に外れないように筒部材８の解放側内側に滑り止めが設けてある。更に筒部材８の閉塞側には持ち運びに便利なように小孔が穿設され、そこに紐や鎖などの保持部材９が通してあり、着火器を移動する際に、または壁に吊り下げる際に利用される。更に筒部材８の閉塞側には持ち運びに便利なように小孔が穿設され、そこに紐や鎖などの保持部材９が通してあり、着火器を移動する際に、または壁に吊り下げる際に利用される。
【００１５】
更に筒部材８の閉塞側には持ち運びに便利なように小孔が穿設され、そこに紐や鎖などの保持部材９が通してあり、着火器を移動する際に、または壁に吊り下げる際に利用される。
【図面の簡単な説明】
【００１６】
【図１】本考案の形態の一例である点火装置の全体図
【符号の説明】
【００１７】
１    点火器
２    本体部
３    金属筒体
６    着火レバー
８    筒部材
９    保持部材
【図１】
0003101637.tif 000003
(57)【要約】      （修正有）【課題】健康増進の為の握力鍛錬器具を、永続性のある握力鍛錬器具として日常生活の中に定着させるべく、ヒゲソリの洗浄作業という日常行為の中に組み込んだ器具を提供する。【解決手段】握力により手を繰り返し握り締めることにより、圧縮空気を貯水タンクに送り込む、この握力運動により、高い水圧の水が得られる。この高水圧の水を細いノズルから一気に発射し、ヒゲソリの目詰まりを除去する。【選択図】図１
0003101699.tif 000002
【実用新案登録請求の範囲】
【請求項１】
握力を利用して握り締める動作を繰り返すことにより、空気を圧縮する空気圧縮装置を有し、それにより圧縮された空気を水を入れた貯水タンクに貯蔵し、高い圧力の水を一気に小さな発射口により開放し、その力によりヒゲソリ器具の目詰まりを洗浄する装置。すなわち、握力の鍛錬をヒゲソリという日常不可欠な行為と連動させ、握力の鍛錬を日常行為として定着せしめ、永続的、恒久的を図り、人々の健康維持に貢献することを特徴とする装置。
【考案の詳細な説明】
【技術分野】
【０００１】健康器具及び洗浄器
【背景技術】
【０００２】握力を利用した空気圧縮装置、例として血圧計及び貯圧式水発射装置、例として貯圧式水鉄砲
【考案の開示】
【考案が解決しようとする課題】
【０００３】今日までに様々な健康増進の為の器具が紹介されてきたが、そのほとんどが単調運動の為に永続性が保たれなかった、握力鍛錬器具もそのひとつである。握力の鍛錬は毎日手を握り締める運動を繰り返すことが最良である。
男性にとってヒゲソリは日常の身だしなみである。多くの男性は電気ヒゲソリ器を使っている。しかし、ヒゲソリ後の清涼感等の理由から手動式ヒゲソリの愛好者もまだまだ多い。しかるに手動式ヒゲソリ、特に２枚刃において、目詰まりは激しい、しかも水洗い等ではなかなか落ちにくいものである。この落ちにくい目詰まりは、細いノズルから噴射した一定の水圧以上の水により簡単に、しかも完全に除去することができる。目詰まりを日常的に除去すればヒゲソリの切れ味は保たれる。
本装置は今まで永続性が得られなかった、握力鍛錬運動をヒゲソリの洗浄作業という日常的行動と連結させ、永続的・恒久的な健康運動として定着させるべく考案したものである。
【考案を解決するための手段】
【０００４】握力により手を繰り返し握り締めることにより、圧縮空気を貯水タンクに送り込む、この握力運動により、高い水圧の水が得られる。この高水圧の水を細いノズルから一気に発射し、ヒゲソリの目詰まりを除去する。
【考案の効果】
【０００５】現代人は物を強く握り締める行為は少ない。特に指先に力を入れる行為は少ない。運動不足になり易い事務職の人達において特にこの行為は少ないと言える。成人病の原因は運動不足と不摂生である。また握力と指先の鍛錬はボケ防止に特に役立つとも言える。
たとえ僅かな時間でも手を強く握り締める行為は永続性が可能であれば、どのような薬よりもボケ防止に効果のあるもであろう。そして、手動式ヒゲソリ器の愛好者にとって今まで使い捨て同様の手動式ヒゲソリ器の切れ味が長時間保持されるとあれば、握力鍛錬運動も永続的となり得て、健康保持の意味も含めて一石二鳥の効果となる。
【図面の簡単な説明】
【０００６】
【図１】握力鍛錬式ヒゲソリ洗浄器の斜視図である．
【符号の説明】
【０００７】１．空気圧縮装置
２．空気注入管
３．送水管
４．貯水タンク
５．発射装置
６．発射口
【図１】
0003101699.tif 000003
【手続補正書】
【提出日】平成15年11月26日(2003.11.26)
【手続補正１】
【補正対象書類名】実用新案登録請求の範囲
【補正対象項目名】全文
【補正方法】変更
【補正の内容】
【実用新案登録請求の範囲】
【請求項１】
握力を利用して、握り締める動作を繰り返すことにより、空気を圧縮する空気圧縮装置を有し、それにより圧縮された空気を水を入れた貯水タンクに貯蔵し、高い圧力の水を一気に小さな発射口より開放し、その加圧水により使用後のヒゲソリ器の目詰まりを洗浄する器具。
(57)【要約】【課題】横向きに寝る際、耳への圧迫から耳を庇うことにより起こる不自然な体の歪みや胸部への圧迫を防ぎ、自然な姿勢で安眠できる補助枕。【解決手段】耳が収まる大きさのＵ字型の補助枕で耳を保護し頭部を支えることにより、横向きに寝る際、耳への圧迫から耳を庇うことにより起こる不自然な体の歪みや胸部への圧迫を防ぎ、体を自然な姿勢に保つ。適度な傾斜をつけることにより、顔を少し上向きに保ち呼吸を楽にする効果がある。【選択図】図１
0003101700.tif 000002
【実用新案登録請求の範囲】
【請求項１】
耳が収まる大きさのＵ字型の耳枕。
横向きに寝る際、耳を圧迫しないよう頭部を支え、顔が少し上向きになるよう傾斜が付いているのが特徴である。
【請求項２】
通常の枕の上に載せて使用する補助枕である。
【考案の詳細な説明】
【技術分野】
【０００１】本考案は健康的な眠りを得るための補助枕に関する。
【背景技術】
【０００２】「安眠」が健康の促進に不可欠であることは周知の事実である。
しかし頚椎を保護することにより体を自然な姿勢に保つことで安眠することを目的とした枕は多数作られているが、横向きに寝る際の姿勢や安眠への配慮はまだまだ不十分である。
【考案の開示】
【考案が解決しようとする課題】
【０００３】本考案は横向きに寝る際、耳への圧迫から耳を庇うことによりおこる不自然な体の歪みや胸部への圧迫を防ぎ、自然な姿勢で安眠できることを課題とした。
【課題を解決するための手段】
【０００４】耳が収まる大きさのＵ字型の耳枕で耳を圧迫しないよう頭部を支えることにより、横向きに寝る際も自然な姿勢を保つ。
【考案の効果】
【０００５】耳への圧迫から耳を保護することにより、横向きに寝る際も不自然な体の歪みや胸部への圧迫を抑え自然な姿勢を保つことができる。
頚椎、脊髄、腰椎への負担も減り、様々な障害が減る事も期待できる。
また傾斜をつけ顔を少し上向きに保つことにより呼吸が楽になり、いびきを減らす効果も期待できる。何より健康の促進に欠かせない「安眠」につながる事が最大の効果である。
【考案を実施するための最良の形態】
【０００６】本考案は耳を保護する補助枕であり、従来から使用している枕の上に載せて必要に応じて使用する。
【図面の簡単な説明】
【０００７】
【図１】請求項１による形状を示した全体図である。
【符号の説明】
【０００８】１：耳がちょうど良く収まる大きさのＵ字型。
２：顔を少し上向きに保つ傾斜が特徴。
【図１】
0003101700.tif 000003
【手続補正書】
【提出日】平成15年12月16日(2003.12.16)
【手続補正１】
【補正対象書類名】実用新案登録請求の範囲
【補正対象項目名】全文
【補正方法】変更
【補正の内容】
【実用新案登録請求の範囲】
【請求項１】
（１）Ｕ字型である。
（２）耳が収まる大きさである。
（３）横向きに寝る際、耳を圧迫しないよう頭部を支え、顔が少し上向きになるよう傾斜が付いている。
以上の構成を有する耳を保護するための補助枕。